(57)【特許請求の範囲】
【請求項１】
被検体の診断部位ごとに実行される複数の個別機能を実行する複数のソフトウェアを記憶するソフトウェア記憶部と、
前記診断部位に対して行われた検査の回数を前記診断部位ごとの利用頻度として求め、所望の診断部位の指定を受け付けて、前記所望の診断部位の利用頻度が所定の割合以上の場合、前記所望の診断部位で実行される前記複数の個別機能の実行の許可を与え、当該利用頻度が所定の割合以下の場合、前記所望の診断部位で実行される前記複数の個別機能のうち、他の診断部位と共通の個別機能についてのみ実行の許可を与える統計導出手段と、
前記診断部位の指定されたことを契機として、前記診断部位に属する個別機能のうち、前記許可が与えられた個別機能に対応するソフトウェアを前記ソフトウェア記憶部から読み込んで実行させる実行手段と、
を有することを特徴とする医用画像診断装置。
【請求項２】
前記診断部位を撮影することで前記診断部位の医用画像データを取得する撮影手段と、
前記撮影によって取得された医用画像データに対して画像処理を施す画像処理手段と、
を有し、
前記ソフトウェア記憶部が記憶する前記ソフトウェアは、前記診断部位に関して前記撮影手段により行われる撮影または前記画像処理手段により行われる画像処理を実行するためのソフトウェアであることを特徴とする請求項１記載の医用画像診断装置。
【請求項３】
前記実行手段は、前記許可が与えられた個別機能については、前記診断部位が指定されたことを契機として、当該個別機能に対応するソフトウェアを前記ソフトウェア記憶部から読み込んで、当該ソフトウェアを実行するための記憶装置に展開することにより、当該ソフトウェアを起動させ、
前記統計導出手段により実行が禁止された個別機能については、個別機能の実行の指示を受けたことを契機として、その指示が与えられた個別機能に対応するソフトウェアを前記ソフトウェア記憶部から読み込んで、当該ソフトウェアを実行するための記憶装置に展開することにより、当該ソフトウェアを起動させることを特徴とする請求項１又は２記載の医用画像診断装置。
【請求項４】
前記各個別機能のそれぞれに対応する複数のマーカを、表示手段の画面上においてそれぞれ所定位置に表示させ、前記統計導出手段によって実行の許可が与えられた個別機能を表すマーカと、前記許可が与えられなかった個別機能を表すマーカとを識別可能に前記表示手段に表示させる表示制御手段を更に有することを特徴とする請求項１〜３のいずれか一つに記載の医用画像診断装置。
【請求項５】
前記統計導出手段は、所望の個別機能の利用頻度に対する更新命令を受け付けた場合に、前記所望の個別機能の利用頻度を、実行の許可が与えられる利用頻度に変更することを特徴とする請求項１〜４のいずれか一つに記載の医用画像診断装置。
【請求項６】
前記統計導出手段は、前記利用頻度、及び前記実行手段に対する負荷に基づいて、実行の許可を与える前記個別機能を決定することを特徴とする請求項１から５のいずれか一つに記載の医用画像診断装置。
【請求項７】
前記統計導出手段は、前記利用頻度、及び前記個別機能の実行に必要なメモリの容量に基づいて、実行の許可を与える前記個別機能を決定することを特徴とする請求項１から５のいずれか一つに記載の医用画像診断装置。
【請求項８】
前記利用頻度は、過去に検査が行われた全ての診断部位の検査回数に対する指定された前記所望の診断部位の検査回数の割合であることを特徴とする請求項１から７のいずれか一つに記載の医用画像診断装置。
【請求項９】
コンピュータに、
被検体の診断部位に対して行われた検査の回数を前記診断部位ごとの利用頻度として求め、所望の診断部位の指定を受け付けて、前記所望の診断部位の利用頻度が所定の割合以上の場合、前記所望の診断部位で実行される前記複数の個別機能の実行の許可を与え、当該利用頻度が所定の割合以下の場合、前記所望の診断部位で実行される前記複数の個別機能のうち、他の診断部位と共通の個別機能についてのみ実行の許可を与える統計導出機能と、
前記診断部位の指定されたことを契機として、前記診断部位に属する個別機能のうち、前記許可が与えられた個別機能に対応するソフトウェアを前記複数の個別機能を実行する複数のソフトウェアを記憶するソフトウェア記憶部から読み込んで実行させる実行機能と、
を実行させることを特徴とする医用画像診断装置の制御プログラム。
【発明の詳細な説明】
【技術分野】
【０００１】
この発明は、超音波診断装置などの医用画像診断装置が実行する各機能の実行及び禁止の制御に関する。
【背景技術】
【０００２】
超音波診断装置、Ｘ線ＣＴ装置、及びＭＲＩ装置などの医用画像診断装置は、撮影を行う撮影機能や、その撮影によって取得された医用画像データに対して画像処理を行う画像処理機能などの複数の機能を実行することができる（例えば特許文献１、特許文献２）。このような機能はソフトウェア（アプリケーションプログラム）によって提供される。このアプリケーションプログラムは、利用するシステムリソースが増大傾向にある。そのため、医用画像診断装置のハードウェアリソースを大量に消費する結果となり、４Ｄ画像処理に関するアプリケーションプログラムやストレスエコーに関するアプリケーションプログラムなどのように、ハードウェアに比較的大きな負荷を与えるアプリケーションプログラムの処理能力の低下を招いていた。
【０００３】
そこで、従来においては、医用画像診断装置のハードウェアを増強することが行われていた。例えば、医用画像診断装置にメモリを増設し、または、ハードディスク（ＨＤＤ）の容量を拡大していた。
【０００４】
また、従来においては、医用画像診断装置にて撮影や検査を行う前に、起動して実行すべき機能（アプリケーションプログラム）と、起動を禁止すべき機能（アプリケーションプログラム）とを予め決定していた。そして、医用画像診断装置の起動時に、その決定に従って各機能（アプリケーションプログラム）を起動させたり起動を禁止させたりしていた。例えば、オプションフラグによって起動する機能と起動しない機能とを分けておき、医用画像診断装置の起動時に、オプションフラグに基づいて起動する機能を判別していた。
【０００５】
【特許文献１】特開２００７−１９０２８８号公報
【特許文献２】特開２００３−０６１９５６号公報
【発明の開示】
【発明が解決しようとする課題】
【０００６】
しかしながら、メモリの増設やハードディスクの容量拡大は、コストの増大を避けることができない。また、増設にもハードウェア的な制限があるため、アプリケーションプログラムによって提供される機能の処理能力の低下を抑制することが困難であった。
【０００７】
また、起動又は禁止すべき機能（アプリケーションプログラム）を予め決定しておき、実行する機能を制限した場合、操作者の操作に応じた機能を円滑に実行することが困難であった。すなわち、医用画像診断装置を用いる前は、起動する必要がないとして禁止すべき機能（アプリケーションプログラム）としていたが、撮影や検査の最中にその機能の実行が必要となったときには、その機能は起動していないため、撮影や検査を円滑に実施することが困難になっていた。
【０００８】
また、実行する機能（アプリケーションプログラム）を制限した場合、機能の増加や減少に伴う医用画像診断装置の保守作業が、機能を増加させたり減少させたりする度に必要となり、医用画像診断装置の利用効率が悪くなるという問題があった。
【０００９】
さらに、医用画像診断装置にて実行される機能には、複数の個別機能が含まれている。すなわち、複数の個別機能が束になって、１つの機能を構成している。このように、１つの機能には複数の個別機能が含まれているため、それぞれの個別機能について起動の許可又は起動の禁止を予め設定することは非常に煩雑な作業であり、実際の作業においては困難である。その結果、複数の個別機能を含む機能のレベルで、起動の許可又は起動の禁止を設定するに留まってしまう。
【００１０】
例えば、超音波診断装置が実行する画像処理機能には、短軸断面の画像を生成する個別機能、長軸断面の画像を生成する個別機能、及び、Ｃ面の画像を生成する個別機能などの複数の個別機能が含まれている。しかしながら、それぞれの個別機能について起動の許可又は起動の禁止を予め設定することは煩雑な作業であり、実際の作業においては困難である。その結果、画像処理機能を起動させるか禁止させるかという設定のみが行われることになる。そのため、画像処理機能の起動を禁止させた場合は、その画像処理機能に含まれる所望の個別機能を実行することができず、また、画像処理機能を起動させた場合には、不要な機能までもが起動してしまう問題があった。
【００１１】
この発明は上記の問題点を解決するものであり、起動の許可又は起動の禁止を予め設定せずに、起動させる機能又は禁止させる機能を判別することで、各機能の処理能力の低下を抑制することが可能な医用画像処理装置、及び医用画像診断装置の制御プログラムを提供することを目的とする。
【課題を解決するための手段】
【００１２】
請求項１に記載の発明は、被検体の診断部位ごとに実行される複数の個別機能を実行する複数のソフトウェアを記憶するソフトウェア記憶部と、前記診断部位に対して行われた検査の回数を前記診断部位ごとの利用頻度として求め、所望の診断部位の指定を受け付けて、前記所望の診断部位の利用頻度が所定の割合以上の場合、前記所望の診断部位で実行される前記複数の個別機能の実行の許可を与え、当該利用頻度が所定の割合以下の場合、前記所望の診断部位で実行される前記複数の個別機能のうち、他の診断部位と共通の個別機能についてのみ実行の許可を与える統計導出手段と、前記診断部位の指定されたことを契機として、前記診断部位に属する個別機能のうち、前記許可が与えられた個別機能に対応するソフトウェアを前記ソフトウェア記憶部から読み込んで実行させる実行手段と、
を有することを特徴とする医用画像診断装置である。
また、請求項９に記載の発明は、コンピュータに、被検体の診断部位に対して行われた検査の回数を前記診断部位ごとの利用頻度として求め、所望の診断部位の指定を受け付けて、前記所望の診断部位の利用頻度が所定の割合以上の場合、前記所望の診断部位で実行される前記複数の個別機能の実行の許可を与え、当該利用頻度が所定の割合以下の場合、前記所望の診断部位で実行される前記複数の個別機能のうち、他の診断部位と共通の個別機能についてのみ実行の許可を与える統計導出機能と、前記診断部位の指定されたことを契機として、前記診断部位に属する個別機能のうち、前記許可が与えられた個別機能に対応するソフトウェアを前記複数の個別機能を実行する複数のソフトウェアを記憶するソフトウェア記憶部から読み込んで実行させる実行機能と、を実行させることを特徴とする医用画像診断装置の制御プログラムである。
【発明の効果】
【００１３】
この発明によると、機能の利用頻度に応じて、その機能の実行又は禁止を決定することで、検査の状況に応じた機能の実行又は禁止を図ることが可能となる。そして、利用されない機能や利用される可能性が低い機能が実行されないため、医用画像診断装置に掛かる負荷を軽減することができ、実行すべき機能の処理能力の低下を抑制することが可能となる。
【発明を実施するための最良の形態】
【００１４】
この発明の実施形態に係る医用画像診断装置について説明する。この実施形態に係る医用画像診断装置には、超音波診断装置、Ｘ線ＣＴ装置、Ｘ線診断装置、ＭＲＩ装置、及び核医学診断装置などの装置が含まれる。ここでは、医用画像診断装置の１例として、超音波診断装置について図１及び図２を参照して説明する。図１は、この発明の実施形態に係る超音波診断装置を示すブロック図である。図２は、この実施形態に係る超音波診断装置に設置された制御部のブロック図である。
【００１５】
この実施形態に係る超音波診断装置１は、超音波プローブ２、送受信部３、信号処理部４、画像生成部５、表示制御部１３、ユーザインターフェース（ＵＩ）６、制御部７、及び記憶部８を備えている。
【００１６】
超音波プローブ２には、複数の超音波振動子が２次元的に配置された２次元アレイプローブ、又は、複数の超音波振動子が所定方向（走査方向）に１列に配置された１次元アレイプローブが用いられる。
【００１７】
送受信部３は送信部と受信部とを備え、超音波プローブ２に電気信号を供給して超音波を発生させ、超音波プローブ２が受信したエコー信号を受信する。送受信部３は、受信したエコー信号を信号処理部４に出力する。
【００１８】
信号処理部４は、Ｂモード処理部やドプラ処理部などを備えている。Ｂモード処理部は、エコーの振幅情報の映像化を行い、エコー信号からＢモード超音波ラスタデータを生成する。また、ドプラ処理部は、例えばパルスドプラ法（ＰＷドプラ法）又は連続波ドプラ法（ＣＷドプラ法）により血流情報を生成する。信号処理部４は、信号処理後のデータを画像生成部５に出力する。なお、超音波プローブ２、送受信部３、及び信号処理部４が、この発明の「撮影手段」の１例を構成する。
【００１９】
画像生成部５は、信号処理後のデータに基づいて、断層像データや３次元画像データなどの超音波画像データを生成する。画像生成部５にて生成された超音波画像データはユーザインターフェース（ＵＩ）６の表示部６１に出力される。表示部６１は、超音波画像データに基づく超音波画像を表示する。また、超音波画像データは、記憶部８の画像記憶部８１に出力され、画像記憶部８１にて記憶される。なお、画像生成部５が、この発明の「画像処理手段」の１例を構成する。
【００２０】
ユーザインターフェース（ＵＩ）６は表示部６１と入力部６２を備えている。表示部６１は、ＣＲＴや液晶ディスプレイなどのモニタで構成されており、断層像や３次元画像などの超音波画像が表示される。入力部６２は、キーボード、マウス、トラックボール、又はＴＣＳ（Ｔｏｕｃｈ  Ｃｏｍｍａｎｄ  Ｓｃｒｅｅｎ）などで構成されており、操作者の操作によって各種の指示が与えられる。
【００２１】
制御部７は、超音波診断装置１の各部に接続されて、各部の動作を制御する。この制御部７の構成については後述する。
【００２２】
記憶部８は、画像記憶部８１、ソフトウェア記憶部８２、及び履歴記憶部８３を備えている。
【００２３】
画像記憶部８１は、画像生成部５にて生成された超音波画像データや、各種の画像処理が施された超音波画像データを記憶する。
【００２４】
ソフトウェア記憶部８２は、超音波診断装置１の各機能を実行するためのソフトウェア（アプリケーションプログラム）が記憶されている。例えば、撮影機能を実行するためのソフトウェアや、画像処理機能を実行するためのソフトウェアなどの検査機能を実行するためのソフトウェアが記憶されている。
【００２５】
ここでは、１例として、画像処理機能を実行するためのソフトウェア（アプリケーションプログラム）について説明する。画像処理機能には、個別機能として、２次元の画像データを生成するための２Ｄ画像処理機能や、３次元の画像データを生成するための３Ｄ画像処理機能などが含まれている。さらに、２Ｄ画像処理機能には、個別機能として、撮影対象である心臓の長軸断面の画像データを生成するための長軸像生成機能、短軸断面の画像データを生成するための短軸像生成機能、及び、Ｃ面の画像データを生成するためのＣ面像生成機能などが含まれている。すなわち、検査機能としての画像処理機能には、２Ｄ画像処理機能や３Ｄ画像処理機能などの個別機能が含まれ、さらに、個別機能としての２Ｄ画像処理機能には、長軸像生成機能や短軸像生成機能などの個別機能が含まれている。そして、各個別機能を実行するための個別プログラムが、ソフトウェア記憶部８２に記憶されている。例えば、長軸像生成機能を実行するための個別プログラム、短軸像生成機能を実行するための個別プログラム、及び、Ｃ面画像を生成するための個別プログラムなどの個別プログラムが、ソフトウェア記憶部８２に記憶されている。
【００２６】
また、検査機能や個別機能を実行するためのソフトウェア（アプリケーションプログラム）は、胸部や腹部などの診断部位を示す部位情報と対応付けられてソフトウェア記憶部８２に記憶されている。例えば、部位情報と、その部位情報が示す診断部位に関して行なわれる撮影や画像処理などの機能を実行するためのソフトウェアとが対応付けられている。具体的には、腹部を示す部位情報と、その腹部に対して行われる撮影や画像処理などの機能を実行するためのソフトウェアとが対応付けられている。
【００２７】
履歴記憶部８３には、診断部位履歴、機能履歴、及び実行時間履歴が記憶されている。診断部位履歴は、各診断部位のそれぞれについて行われた検査の回数を示している。例えば、腹部について行われた検査の回数や、胸部について行われた検査の回数などが、診断部位履歴として履歴記憶部８３に記憶されている。すなわち、操作者によって選択された各診断部位の選択回数が診断部位履歴として履歴記憶部８３に記憶されている。
【００２８】
また、機能履歴は、検査機能や個別機能のそれぞれについて、過去に実行された回数を示している。例えば、長軸像生成機能が実行された回数や、短軸像生成機能が実行された回数などが、機能履歴として履歴記憶部８３に記憶されている。
【００２９】
また、実行時間履歴は、検査機能や個別機能のそれぞれについて、過去に実行された時間の長さを示している。例えば、長軸像生成機能が実行された時間の合計の長さや、短軸像生成機能が実行された時間の合計の長さなどが、実行時間履歴として履歴記憶部８３に記憶されている。実行された時間の長さとしては、例えば、個別機能を実行するためのソフトウェア（アプリケーションプログラム）が起動してから終了するまでの時間が用いられる。また、個別機能による処理を実行していた時間を用いても良い。
【００３０】
次に、制御部７について図２を参照して説明する。制御部７は、入力制御部７１、患者登録部７２、検査機能制御部７３、記憶制御部７４、統計導出部７５、実行制御部７６、及び実行部７７を備えている。
【００３１】
入力制御部７１は、ユーザインターフェース（ＵＩ）６の入力部６２からの入力を受け付けて、その入力に対応する信号を患者登録部７２と検査機能制御部７３に出力する。例えば、操作者が入力部６２を用いて検査の開始指示を与えると、入力制御部７１は、入力部６２から検査の開始指示を受け付けて患者登録部７２に出力する。また、操作者が入力部６２を用いて、患者の氏名や患者を識別するための患者番号などを含む患者情報と、診断部位を示す診断部位情報とを入力すると、入力制御部７１は入力部６２からその入力を受け付けて、その入力を患者登録部７２と検査機能制御部７３に出力する。また、入力部６２を用いて、所望の検査機能や個別機能が指定されると、入力制御部７１は、その検査機能や個別機能を示す機能情報を入力部６２から受け付けて、その機能情報を検査機能制御部７３に出力する。
【００３２】
患者登録部７２は、入力制御部７１から出力された検査の開始指示を受け付けて、患者登録用の画面を表示部６１に表示させる。そして、入力部６２を用いて患者情報と診断部位情報とが入力されると、患者登録部７２は入力制御部７１を介して患者情報と診断部位情報とを受け付ける。そして、患者登録部７２は、診断部位情報を記憶制御部７４に出力する。
【００３３】
記憶制御部７４は、患者登録部７２から診断部位情報を受けて、履歴記憶部８３にその診断部位情報を診断部位履歴として記憶させる。すなわち、履歴記憶部８３は、検査対象として指定された診断部位の回数を診断部位履歴として記憶する。また、記憶制御部７４は、履歴記憶部８３から診断部位履歴を読み出して統計導出部７５に出力する。
【００３４】
また、操作者が入力部６２を用いて所望の検査機能や個別機能が指定すると、指定された検査機能や個別機能を示す機能情報が、入力制御部７１及び検査機能制御部７３を介して記憶制御部７４に出力される。記憶制御部７４は、機能情報を受け付けて、履歴記憶部８３にその機能情報を機能履歴として記憶させる。すなわち、履歴記憶部８３は、指定された検査機能や個別機能の回数を機能履歴として記憶する。また、記憶制御部７４は、履歴記憶部８３から機能履歴を読み出して統計導出部７５に出力する。
【００３５】
また、入力制御部７１は、各検査機能や各個別機能のそれぞれに対応するマーカを、入力部６２のＴＣＳにおいてそれぞれ所定の位置に表示させても良い。ＴＣＳにおけるマーカの表示について図３を参照して説明する。図３は、この発明の実施形態に係る超音波診断装置のユーザインターフェースの一部を示す図である。
【００３６】
図３に示すように、入力制御部７１は、各個別機能のそれぞれに対応するマーカ１１０、１２０、１３０などを、入力部６２を構成するＴＣＳ１００の所定の位置に表示させる。そして、操作者がＴＣＳ１００の所望のマーカを指定すると、そのマーカに対応する個別機能を示す機能情報が、入力部６２から入力制御部７１を介して、検査機能制御部７３や記憶制御部７４に出力される。なお、入力制御部７１が、この発明の「表示制御手段」の１例に相当する。
【００３７】
また、各個別機能を実行するためのソフトウェア（アプリケーションプログラム）に、ＴＣＳ１００における各マーカの位置を示す情報（座標情報）を対応付けてソフトウェア記憶部８２に記憶させておく。統計導出部７５は、ＴＣＳ１００上において操作者によって指定されたマーカの座標情報を入力部６２（ＴＣＳ１００）から受けて、ソフトウェア記憶部８２に記憶されている対応付けに従って、その座標情報に対応するソフトウェア（機能）を特定する。そして、統計導出部７５は、各マーカの指定回数に基づいて、各マーカに対応する個別機能の実行回数（利用頻度）を求め、その実行回数を記憶制御部７４に出力する。記憶制御部７４は、その実行回数を機能履歴として履歴記憶部８３に記憶させる。すなわち、ＴＣＳ１００に表示されたマーカが押下された回数が、そのマーカが表す個別機能の実行回数に対応するため、統計導出部７５は、押下されたマーカの座標情報に基づいて指定されたソフトウェア（機能）を特定し、その特定したソフトウェア（機能）の実行回数を計数する。この実行回数が機能履歴として履歴記憶部８３に記憶されることになる。
【００３８】
検査機能制御部７３は、操作者によって指定された診断部位に関して実行される検査機能や個別機能について、実行の待機命令を実行部７７に出力する。また、検査機能制御部７３は、操作者によって指定された診断部位に関して実行される検査機能や個別機能について、実行の許可又は実行の禁止を統計導出部７５に問い合わせる。検査機能や個別機能を実行するためのソフトウェア（アプリケーションプログラム）は、診断部位を示す部位情報と対応付けられてソフトウェア記憶部８２に記憶されているため、検査機能制御部７３は、その対応付けを参照することで、操作者によって指定された診断部位に関して実行される機能（ソフトウェア）を特定して、実行の待機命令や問い合わせを行う。
【００３９】
また、操作者が検査機能を指定した場合、検査機能制御部７３は、操作者によって指定された検査機能に含まれる各個別機能について、実行の許可又は実行の禁止を統計導出部７５に問い合わせる。
【００４０】
また、検査機能制御部７３は、入力部６２を用いて入力された所望の検査機能や個別機能を示す機能情報を、入力制御部７１を介して受け付けて、その機能情報を記憶制御部７４に出力する。
【００４１】
統計導出部７５は、記憶制御部７４から履歴を読み込み、その履歴に基づいて各機能の利用頻度を求め、その利用頻度に基づいて各機能の実行又は禁止を決定する。この実施形態では、統計導出部７５は、診断部位に対する検査の回数を示す診断部位履歴、各機能の実行回数を示す機能履歴、又は、各機能の実行時間を示す実行時間履歴に基づいて、各機能の実行又は禁止を決定する。
【００４２】
（診断部位履歴に基づく決定）
統計導出部７５は、記憶制御部７４から診断部位履歴を受けると、その診断部位履歴を参照して、操作者によって指定された診断部位が過去に検査された割合（利用頻度）を求める。すなわち、統計導出部７５は、過去に検査が行われた全ての診断部位の検査回数に対する、指定された診断部位の検査回数の割合を求める。そして、統計導出部７５は、操作者によって指定された診断部位に関する機能の実行許可又は禁止の問い合わせを検査機能制御部７３から受けて、その診断部位の検査回数の割合に基づいて、その診断部位に関する機能の実行又は禁止を決定する。例えば、統計導出部７５は、検査回数の割合が予め設定された所定値以上（所定の割合以上）の場合には、その診断部位に関する機能については実行に決定し、検査回数の割合が所定値未満（所定の割合未満）の場合には、その診断部位に関する機能については禁止に決定する。このとき、統計導出部７５は、操作者によって指定された診断部位に特有の機能の実行又は禁止を決定する。例えば、統計導出部７５は、操作者によって指定された診断部位のみを対象とした機能の実行又は禁止を決定する。一方、統計導出部７５は、複数の診断部位に対して共通の機能については、実行の許可を与える。そして、統計導出部７５は、その決定を実行制御部７６に出力する。
【００４３】
（機能履歴に基づく決定）
また、統計導出部７５は、記憶制御部７４から機能履歴を受けると、その機能履歴を参照して、操作者によって指定された検査機能に含まれる各個別機能が過去に実行された割合（利用頻度）を求めても良い。すなわち、統計導出部７５は、過去に実行された全ての個別機能の実行回数に対する、指定された検査機能に含まれる各個別機能の実行回数の割合を求めても良い。この場合、統計導出部７５は、操作者によって指定された検査機能に含まれる各個別機能の実行許可又は禁止の問い合わせを検査機能制御部７３から受けて、各個別機能の実行回数の割合に基づいて、各個別機能の実行又は禁止を決定する。例えば、統計導出部７５は、実行回数の割合が予め設定された所定値以上（所定の割合以上）の場合には、その個別機能については実行に決定し、実行回数の割合が所定値未満（所定の割合未満）の場合には、その個別機能については禁止に決定する。そして、統計導出部７５は、その決定を実行制御部７６に出力する。なお、操作者が入力部６２を用いて所望の診断部位を示す診断部位情報を入力すると、その診断部位情報は入力制御部７１を介して検査機能制御部７３に出力される。検査機能制御部７３は、入力部６２から診断部位情報を受けると、実行が禁止されていた個別機能に対する起動命令を実行部７７に出力する。このように、診断部位の選択によって、個別機能に対する決定が、禁止から実行に遷移する。
【００４４】
（実行時間履歴に基づく決定）
また、統計導出部７５は、記憶制御部７４から実行時間履歴を受けると、その実行時間履歴を参照して、操作者によって指定された検査機能に含まれる各個別機能が過去に実行された時間の長さ（利用頻度）を求めても良い。この場合、統計導出部７５は、操作者によって指定された検査機能に含まれる各個別機能の実行許可又は禁止の問い合わせを検査機能制御部７３から受けて、各個別機能の実行時間の長さに基づいて、各個別機能の実行又は禁止を決定する。例えば、統計導出部７５は、実行時間の長さが予め設定された所定値以上（所定の時間長以上）の場合には、その個別機能については実行に決定し、実行時間の長さが所定値未満（所定の時間長未満）の場合には、その個別機能については禁止に決定する。そして、統計導出部７５は、その決定を実行制御部７６に出力する。なお、操作者が入力部６２を用いて所望の診断部位を示す診断部位情報を入力すると、その診断部位情報は入力制御部７１を介して検査機能制御部７３に出力される。検査機能制御部７３は、入力部６２から診断部位情報を受けると、実行が禁止されていた個別機能に対する起動命令を実行部７７に出力する。このように、診断部位の選択によって、個別機能に対する決定が、禁止から実行に遷移する。
【００４５】
実行制御部７６は、統計導出部７５から機能の実行又は禁止を示す情報を受けて、機能の実行命令又は禁止命令を実行部７７に出力する。
【００４６】
実行部７７は、実行制御部７６から実行命令又は禁止命令を受けて、実行命令が与えられた機能を実行するためのソフトウェア（アプリケーションプログラム）を起動させる。具体的には、実行部７７は、ソフトウェア記憶部８２から実行命令が与えられたプログラムを読み込んで、そのプログラムを起動させる。そして、操作者が入力部６２を用いて実行の指示を与えると、実行部７７はその指示に従って、プログラムを実行することで所定の機能を実行させる。例えば、実行部７７は、撮影に関する機能を送受信部３や信号処理部４に実行させ、画像処理に関する機能を画像生成部５に実行させる。
【００４７】
制御部７は、ＣＰＵと、ＲＯＭ、ＲＡＭ、ＨＤＤなどの記憶装置（図示しない）を備えている。記憶装置には、制御部７の各機能を実行するための制御プログラムが記憶されている。その制御プログラムには、入力制御部７１の機能を実行するための入力制御プログラム、患者登録部７２の機能を実行するための患者登録プログラム、検査機能制御部７３の機能を実行するための検査機能制御プログラム、記憶制御部７４の機能を実行するための記憶制御プログラム、統計導出部７５の機能を実行するための統計導出プログラム、実行制御部７６の機能を実行するための実行制御プログラム、及び、実行部７７の機能を実行するための実行プログラムが含まれている。そして、ＣＰＵが制御プログラムに含まれる各プログラムを実行することで、制御部７の各機能を実行する。なお、この実施形態に係る制御プログラムが、この発明の「医用画像診断装置の制御プログラム」の１例に相当する。
【００４８】
なお、Ｘ線ＣＴ装置、Ｘ線診断装置、ＭＲＩ装置、又は核医学診断装置に、この実施形態に係る制御部７を設置することで、上述した超音波診断装置１と同様の作用及び効果を奏することができる。
【００４９】
［動作］
次に、この発明の実施形態に係る超音波診断装置１（医用画像診断装置）の動作について説明する。この実施形態では、超音波診断装置１（医用画像診断装置）による３つの動作について説明する。
【００５０】
（第１の動作）
まず、超音波診断装置１による第１の動作について図４を参照して説明する。図４は、この発明の実施形態に係る超音波診断装置による一連の動作を説明するためのシーケンス図である。第１の動作では、操作者によって指定された診断部位の検査回数に基づいて、その診断部位に関する機能の実行又は禁止を決定する。
【００５１】
（ステップＳ０１からステップＳ０３）
まず、操作者が入力部６２を用いて検査の実行指示を与えると（Ｓ０１）、その実行指示に対応する入力信号が入力部６２から入力制御部７１を介して患者登録部７２に出力される（Ｓ０２、Ｓ０３）。
【００５２】
（ステップＳ０４）
患者登録部７２は、入力制御部７１から検査の実行指示を受けると、表示部６１に患者登録用の画面を表示させる。
【００５３】
（ステップＳ０５、Ｓ０６）
操作者は表示部６１に表示された患者登録用の画面を参照して、入力部６２を用いて、患者情報と診断部位情報を入力する（Ｓ０５）。さらに、操作者は入力部６２を用いて、検査の開始指示を与える（Ｓ０６）。入力制御部７１は、入力部６２から患者情報と診断部位情報とを受け付けて、患者情報と診断部位情報とを患者登録部７２と検査機能制御部７３に出力する。
【００５４】
（ステップＳ０７、Ｓ１２）
患者登録部７２は、入力制御部７１を介して患者情報と診断部位情報を受け付けると、診断部位情報を記憶制御部７４に出力する（Ｓ０７）。そして、超音波診断装置１（医用画像診断装置）の実行権限が検査機能制御部７３に移行する（Ｓ１２）。
【００５５】
（ステップＳ０８からステップＳ１０）
記憶制御部７４は、患者登録部７２から診断部位情報を受けて、検査対象として指定された診断部位の回数を診断部位履歴として履歴記憶部８３に記憶させる（Ｓ０８）。また、記憶制御部７４は、履歴記憶部８３から診断部位履歴を読み出して統計導出部７５に出力する（Ｓ０９、Ｓ１０）。
【００５６】
（ステップＳ１１）
統計導出部７５は、記憶制御部７４から診断部位履歴を受けると、その診断部位履歴を参照して、操作者によって指定された診断部位が過去に検査された割合（利用頻度）を求める。具体的には、統計導出部７５は、過去に検査が行われた全ての診断部位の検査回数に対する、指定された診断部位の検査回数の割合（利用頻度）を求める。
【００５７】
（ステップＳ１３、Ｓ１４）
検査機能制御部７３は、操作者によって指定された診断部位に関して実行される検査機能や個別機能について、実行の待機命令を実行部７７に出力する。具体的には、検査機能や個別機能を実行するためのソフトウェア（アプリケーションプログラム）は、診断部位を示す部位情報と対応付けられてソフトウェア記憶部８２に記憶されているため、検査機能制御部７３は、その対応付けを参照することで、指定された診断部位に関して実行されるソフトウェアを特定して、そのソフトウェアの実行の待機命令を実行部７７に出力する。図４に示す例では、操作者によって指定された診断部位に関して個別機能Ａと個別機能Ｂとが実行されるため、検査機能制御部７３は、個別機能Ａと個別機能Ｂについての実行の待機命令を実行部７７に出力する。
【００５８】
（ステップＳ１５）
検査機能制御部７３は、操作者によって指定された診断部位に関して実行される機能について、実行の許可又は実行の禁止を統計導出部７５に問い合わせる。図４に示す例では、検査機能制御部７３は、個別機能Ａと個別機能Ｂについて、実行の許可又は実行の禁止を統計導出部７５に問い合わせる。
【００５９】
（ステップＳ１６）
統計導出部７５は、操作者によって指定された診断部位に関して実行される機能の実行許可又は禁止の問い合わせを検査機能制御部７３から受けて、ステップＳ１１で求めた検査回数の割合（利用頻度）に基づいて、その診断部位に関する機能の実行又は禁止を決定する。具体的には、統計導出部７５は、その診断部位の検査回数の割合（利用頻度）が予め設定された所定の割合以上であれば、その診断部位に関する機能については実行に決定する。一方、統計導出部７５は、その診断部位の検査回数の割合（利用頻度）が所定の割合未満であれば、その診断部位に関する機能については禁止に決定する。例えば、図４に示す個別機能Ｂは、操作者によって指定された診断部位に特有の機能であり、個別機能Ａは、他の診断部位と共通の機能である。そして、操作者によって指定された診断部位の検査回数の割合（利用頻度）が所定の割合未満であれば、統計導出部７５は、操作者によって指定された診断部位に特有の個別機能Ｂについては禁止に決定し、他の診断部位と共通の機能である個別機能Ａについては実行に決定する。一方、操作者によって指定された診断部位の検査回数の割合（利用頻度）が所定の割合以上であれば、統計導出部７５は、個別機能Ａと個別機能Ｂについて実行に決定する。図４に示す例では、操作者によって指定された診断部位の検査回数の割合（利用頻度）が所定の割合未満であるため、統計導出部７５は、個別機能Ｂについては禁止に決定し、個別機能Ａについては実行に決定する。そして、統計導出部７５は、その決定を実行制御部７６に出力する。例えば、統計導出部７５は、個別機能Ａについては実行の許可を実行制御部７６に通知し、個別機能Ｂについては実行の禁止を実行制御部７６に通知する。
【００６０】
（ステップＳ１７、Ｓ１８）
実行制御部７６は、統計導出部７５から機能の実行又は禁止を示す情報を受けて、機能の実行命令又は禁止命令を実行部７７に出力する。図４に示す例では、実行制御部７６は、個別機能Ａについては実行命令を実行部７７に出力し、個別機能Ｂについては禁止命令を実行部７７に出力する。
【００６１】
（ステップＳ１９）
そして、実行部７７は、実行命令が与えられた個別機能Ａを実行するためのソフトウェア（アプリケーションプログラム）をソフトウェア記憶部８２から読み込んで、そのソフトウェアを起動させる。具体的には、実行部７７は、個別機能Ａのソフトウェアをソフトウェア記憶部８２から読み込んで、そのソフトウェアを実行するための記憶装置に展開することで、そのソフトウェアを起動させる。そして、操作者が入力部６２を用いて実行の指示を与えると、実行部７７はその指示に従って、プログラムを実行することで所定の処理を実行させる。なお、既に起動しているソフトウェアについては起動させておき、実行部７７は、操作者からの指示に従って処理を実行させる。
【００６２】
以上のように、操作者によって指定された診断部位が過去に検査された回数に応じて、その診断部位に特有の機能を実行又は禁止することで、利用頻度が低い機能を実行するためのソフトウェア（アプリケーションプログラム）が起動されないため、超音波診断装置１（医用画像診断装置）に掛かる負荷を軽減することが可能となる。そのことにより、各検査機能や各個別機能の処理能力の低下を抑制することが可能となる。すなわち、利用頻度が低い機能を実行するためのソフトウェアは記憶装置に展開されないため、ハードウェアリソースを有効に利用することができ、実行すべきソフトウェアの応答性や処理能力を向上させることが可能となる。また、超音波診断装置１（医用画像診断装置）の起動時及び終了時において、起動させるソフトウェアの数や終了させるソフトウェアの数が削減されるため、超音波診断装置１（医用画像診断装置）の起動時間や終了時間を短縮させることが可能となる。
【００６３】
（第２の動作）
次に、超音波診断装置１による第２の動作について図５を参照して説明する。図５は、この発明の実施形態に係る超音波診断装置による別の動作を説明するためのシーケンス図である。第２の動作では、操作者によって指定された検査機能に含まれる各個別機能の実行回数に応じて、各個別機能の実行又は禁止を決定する。
【００６４】
（ステップＳ２０）
まず、操作者が入力部６２を用いて所望の検査機能を指定すると、入力部６２からその検査機能を示す機能情報が入力制御部７１を介して検査機能制御部７３に出力される。例えば、入力部６２を構成するＴＣＳにて所望の検査機能が指定されると、その検査機能を示す機能情報が検査機能制御部７３に出力される。
【００６５】
（ステップＳ２１）
検査機能制御部７３は、入力された所望の検査機能を示す機能情報を記憶制御部７４に出力する。
【００６６】
（ステップＳ２２からステップＳ２４）
記憶制御部７４は、検査機能制御部７３から機能情報を受けて、実行対象として指定された検査機能の回数を機能履歴として履歴記憶部８３に記憶させる。また、記憶制御部７４は、履歴記憶部８３から機能履歴を読み出して統計導出部７５に出力する。
【００６７】
（ステップＳ２５）
統計導出部７５は、記憶制御部７４から機能履歴を受けると、その機能履歴を参照して、操作者によって指定された検査機能に含まれる各個別機能が過去に実行された割合（利用頻度）を求める。具体的には、統計導出部７５は、過去に実行された全ての個別機能の実行回数に対する、指定された検査機能に含まれる各個別機能の実行回数の割合（利用頻度）を求める。
【００６８】
（ステップＳ２６）
検査機能制御部７３は、操作者によって指定された検査機能に含まれる各個別機能について、実行の許可又は実行の禁止を統計導出部７５に問い合わせる。図５に示す例では、検査機能制御部７３は、操作者によって指定された検査機能に含まれる個別機能Ｃと個別機能Ｄについて、実行の許可又は実行の禁止を統計導出部７５に問い合わせる。
【００６９】
（ステップＳ２７）
統計導出部７５は、操作者によって指定された検査機能に含まれる各個別機能の実行許可又は禁止の問い合わせを検査機能制御部７３から受けて、ステップＳ２５で求めた実行回数の割合（利用頻度）に基づいて、各個別機能の実行又は禁止を決定する。具体的には、統計導出部７５は、実行回数の割合（利用頻度）が予め設定された所定の割合以上であれば、その個別機能については実行に決定する。一方、統計導出部７５は、実行回数の割合（利用頻度）が予め設定された所定の割合未満であれば、その個別機能については禁止に決定する。例えば、図５に示す例では、操作者によって指定された検査機能には、個別機能Ｃと個別機能Ｄとが含まれている。図５に示す例では、個別機能Ｃの実行回数の割合（利用頻度）が所定の割合以上であるため、統計導出部７５は、個別機能Ｃについては実行に決定する。一方、個別機能Ｄの実行回数の割合（利用頻度）が所定の割合未満であるため、統計導出部７５は、個別機能Ｄについては禁止に決定する。そして、統計導出部７５は、その決定を実行制御部７６に出力する。例えば、統計導出部７５は、個別機能Ｃについては実行の許可を実行制御部７６に通知し、個別機能Ｄについては実行の禁止を実行制御部７６に通知する。
【００７０】
（ステップＳ２８からステップＳ３０）
実行制御部７６は、統計導出部７５から機能の禁止を示す情報を受けて、個別機能の禁止命令を実行部７７に出力する。図５に示す例では、実行制御部７６は、個別機能Ｄについては禁止命令を実行部７７に出力する。そして、実行部７７は、禁止命令が与えられた個別機能Ｄを実行するためのソフトウェア（アプリケーションプログラム）の読み込みを禁止し、そのソフトウェアの起動を禁止する。そして、実行部７７は、禁止処理の完了を検査機能制御部７３に出力する。
【００７１】
（ステップＳ３１）
また、実行制御部７６は、統計導出部７５から機能の実行を示す情報を受けて、個別機能の実行命令を実行部７７に出力する。図５に示す例では、実行制御部７６は、個別機能Ｃについては実行命令を実行部７７に出力する。
【００７２】
（ステップＳ３２）
そして、実行部７７は、実行命令が与えられた個別機能Ｃを実行するためのソフトウェア（アプリケーションプログラム）をソフトウェア記憶部８２から読み込んで、そのソフトウェアを起動させる。そして、操作者が入力部６２を用いて実行の指示を与えると、その指示に従って、プログラムを実行することで所定の処理を実行させる。なお、既に起動しているソフトウェアについては、起動させておき、操作者からの指示に従って処理を実行させる。また、検査機能制御部７３は、個別機能Ｃのソフトウェアが実行されると、その実行開始時から実行の時間を計測する。
【００７３】
（ステップＳ３３、Ｓ３４）
そして、操作者が入力部６２を用いて処理の終了を指示すると、その指示が入力制御部７１を介して検査機能制御部７３に出力される。そして、検査機能制御部７３は、指定された個別機能の終了の指示を実行部７７に出力する。
【００７４】
（ステップＳ３５、Ｓ３６）
実行部７７は、検査機能制御部７３から個別機能の終了指示を受けると、その個別機能を実行するためのソフトウェアの処理を停止させる。そして、実行部７７は、停止処理の完了を検査機能制御部７３に出力する。図５に示す例では、実行部７７は個別機能Ｃのソフトウェアの処理を停止させ、その停止処理の完了を検査機能制御部７３に出力する。
【００７５】
（ステップＳ３７）
検査機能制御部７３は、実行部７７から停止処理の完了を受けると、個別機能Ｃを実行していた時間の長さを求める。例えば、検査機能制御部７３は、個別機能Ｃを実行するためのソフトウェアが起動して停止処理が行われるまでの間の時間の長さを計測する。そして、検査機能制御部７３は、実行時間の長さを記憶制御部７４に出力する。
【００７６】
（ステップＳ３８からステップＳ４０）
記憶制御部７４は、個別機能の実行時間の長さを検査機能制御部７３から受けて、その個別機能の実行時間の長さを実行時間履歴として履歴記憶部８３に記憶させる。また、記憶制御部７４は、履歴記憶部８３から実行時間履歴を読み出して統計導出部７５に出力する。
【００７７】
（ステップＳ４１）
統計導出部７５は、記憶制御部７４から実行時間履歴を受けると、その実行時間履歴を参照して、各個別機能が過去に実行された時間の長さを求める。
【００７８】
（ステップＳ４２）
そして、検査機能制御部７３は、各個別機能の実行の許可又は禁止を統計導出部７５に問い合わせる。
【００７９】
（ステップＳ４３）
統計導出部７５は、各個別機能の実行の許可又は禁止の問い合わせを検査機能制御部７３から受けて、ステップＳ４１で求めた各個別機能の実行時間の長さ（利用頻度）に基づいて、各個別機能の実行又は禁止を決定する。具体的には、統計導出部７５は、実行時間の長さ（利用頻度）が予め設定された所定の時間長以上の場合には、その個別機能については実行に決定する。一方、統計導出部７５は、実行時間の長さ（利用頻度）が予め設定された所定の時間長未満の場合には、その個別機能については禁止に決定する。そして、統計導出部７５は、その決定を実行制御部７６に出力する。
【００８０】
（ステップＳ４４）
実行制御部７６は、統計導出部７５から機能の実行又は禁止を示す情報を受けて、禁止に決定された個別機能については、実行対象から除外する。これにより、次回、超音波診断装置１（医用画像診断装置）が起動したときに、実行制御部７６は、実行対象から除外された個別機能については、実行命令を実行部７７に与えない。その結果、実行部７７は、実行対象から除外された個別機能を実行するためのソフトウェアをソフトウェア記憶部８２から読み込まず、そのソフトウェアを起動させない。
【００８１】
以上のように、個別機能が過去に実行された回数に応じて、その個別機能を実行又は禁止することで、上述した第１の動作と同様に、利用頻度が低い個別機能を実行するためのソフトウェア（アプリケーションプログラム）が起動されないため、超音波診断装置１（医用画像診断装置）に掛かる負荷を軽減することが可能となる。そのことにより、各検査機能や各個別機能の処理能力の低下を抑制することが可能となる。また、上述した第１の動作と同様に、超音波診断装置１（医用画像診断装置）の起動時及び終了時において、ソフトウェアの起動処理数や終了処理数が削減されるため、超音波診断装置１（医用画像診断装置）の起動時間と終了時間を短縮させることが可能となる。
【００８２】
なお、ステップＳ２０からステップＳ３６までの処理と、ステップＳ３７からステップＳ４４までの処理とを別々の処理として実行しても良い。すなわち、統計導出部７５は、操作者によって指定された検査機能に含まれる各個別機能の実行時間の長さに基づいて、各個別機能の実行又は禁止を決定しても良い。この場合、統計導出部７５は、実行時間の長さが予め設定された所定の時間長以上の場合には、その個別機能については実行に決定し、実行時間の長さが所定の時間長未満の場合には、その個別機能については禁止に決定する。そして、実行制御部７６は、統計導出部７５の決定に従って、機能の実行命令又は禁止命令を実行部７７に出力する。このように、実行時間の長さに基づいて各個別機能の実行の許可又は禁止を決定した場合も、上述した第１の動作と同様に、利用頻度が低い個別機能のソフトウェアが起動されないため、超音波診断装置１（医用画像診断装置）に掛かる負荷を軽減することが可能となる。その結果、各検査機能や各個別機能の処理能力の低下を抑制することが可能となる。
【００８３】
（第３の動作）
次に、超音波診断装置１による第３の動作について図６を参照して説明する。図６は、この発明の実施形態に係る超音波診断装置による別の動作を説明するためのシーケンス図である。この第３の動作では、禁止された検査機能や個別機能を、起動させるための処理について説明する。
【００８４】
（ステップＳ５０）
まず、操作者は入力部６２を用いて、起動していない検査機能や個別機能を指定する。指定された検査機能や個別機能を示す機能情報が、入力部６２から入力制御部７１を介して検査機能制御部７３に出力される。ここでは、図６に示すように、個別機能Ｄについて起動させるために、操作者は入力部６２を用いて、個別機能Ｄの起動を指定する。
【００８５】
（ステップＳ５１）
検査機能制御部７３は、入力部６２から機能情報を受けて、その機能情報が示す機能の起動命令を実行部７７に出力する。図６に示す例では、検査機能制御部７３は、個別機能Ｄの起動命令を実行部７７に出力する。
【００８６】
（ステップＳ５２）
実行部７７は、個別機能Ｄの起動命令を検査機能制御部７３から受けると、個別機能Ｄを実行するためのソフトウェア（アプリケーションプログラム）をソフトウェア記憶部８２から読み込んで、そのソフトウェアを起動させる。
【００８７】
（ステップＳ５３、Ｓ５４）
さらに、検査機能制御部７３は、機能履歴の更新を統計導出部７５に要求する（Ｓ５３）。そして、統計導出部７５は、機能履歴を更新する。すなわち、統計導出部７５は、個別機能Ｄについては、実行可能な利用頻度に機能履歴を書き換える。例えば、統計導出部７５は、個別機能Ｄについての実行回数を実行可能な回数に書き換える。具体的には、統計導出部７５は、個別機能Ｄの実行回数を予め設定された所定の回数以上にして、機能履歴を書き換える。
【００８８】
（ステップＳ５５）
そして、統計導出部７５は、書き換えた機能履歴を記憶制御部７４に出力し、機能履歴の更新を要求する。
【００８９】
（ステップＳ５６）
記憶制御部７４は、統計導出部７５から出力された機能履歴を履歴記憶部８３に記憶させることで、履歴記憶部８３に記憶された機能履歴を更新する。
【００９０】
以上のように、実行が禁止された個別機能について操作者が実行の指示を与えた場合に機能履歴を書き換えることで、次回以降、超音波診断装置１（医用画像診断装置）が起動したときに、その個別機能を実行することが可能となる。
【００９１】
（実行が禁止された機能を表すマーカの表示方法）
なお、上述した実施形態において、実行が許可された機能を表すマーカと、禁止された機能を表すマーカとを識別可能に表示部に表示しても良い。この処理について図７を参照して説明する。図７は、この発明の実施形態に係る超音波診断装置のユーザインターフェースの一部を示す図である。
【００９２】
図７（ａ）に示すように、入力制御部７１は、入力部６２を構成するＴＣＳ１００に、各個別機能に対応するマーカ１１０、１２０、１３０などを表示させる。操作者がＴＣＳ１００に表示されているマーカ１１０などを指定すると、そのマーカ１１０に対応する個別機能を示す機能情報が、入力部６２から入力制御部７１を介して検査機能制御部７３に出力される。検査機能制御部７３は、入力部６２から機能情報を受けて、その機能情報が示す個別機能の起動命令を実行部７７に出力する。これにより、実行部７７は、操作者によって指定された個別機能のソフトウェア（アプリケーションプログラム）をソフトウェア記憶部８２から読み込んで、そのソフトウェアを起動させる。このように、操作者は、入力部６２を構成するＴＣＳ１００に表示されたマーカを指定することで、所望の機能の実行を指示することが可能となっている。
【００９３】
統計導出部７５は、起動の禁止を決定した個別機能を示す機能情報を入力制御部７１に出力する。入力制御部７１は、その機能情報を統計導出部７５から受けると、その機能情報が示す個別機能を表すマーカを、実行可能な個別機能を表すマーカと区別してＴＣＳ１００に表示させる。例えば図７（ｂ）に示すように、入力制御部７１は、個別機能「２ＤＳｃａｎＲａｇｅ」を表すマーカ１２０Ａを、他の個別機能を表すマーカ１１０、１３０とは区別してＴＣＳ１００に表示させる。例えば、入力制御部７１は、マーカ１２０Ａの輝度を落として、他のマーカ１１０、１３０と識別可能に表示させる。これにより、操作者は、マーカ１２０Ａが表す個別機能は起動していないことを認識することが可能となる。また、入力制御部７１は、マーカ１２０Ａの色を、他のマーカ１１０、１３０の色とは異なる色でＴＣＳ１００に表示させることで、マーカ１２０Ａを他のマーカと区別して表示させても良い。
【００９４】
（医用画像診断装置の負荷に基づく実行又は禁止の決定）
また、統計導出部７５は、各個別機能の過去における実行回数（利用頻度）に加えて、超音波診断装置１（医用画像診断装置）に掛かる負荷に基づいて、検査機能や個別機能の実行の許可又は実行の禁止を決定しても良い。各個別機能はそれぞれ、実行部７７（ＣＰＵ）に係る負荷や、起動に必要なメモリの容量が異なる。従って、統計導出部７５は、個別機能を実行した場合に実行部７７（ＣＰＵ）に掛かる負荷や、実行に必要なメモリの容量に基づいて、実行の許可を与える個別機能を決定しても良い。この場合、統計導出部７５は、各個別機能の過去における実行回数（利用頻度）と、実行部７７（ＣＰＵ）に掛かる負荷とに基づいて、実行の許可を与える個別機能を決定する。例えば、統計導出部７５は、実行部７７（ＣＰＵ）に与える負荷が大きい個別機能については優先的に禁止し、負荷が小さい個別機能については優先的に実行の許可を与える。
【００９５】
また、統計導出部７５は、実行部７７（ＣＰＵ）に掛かっている負荷や、起動しているソフトウェアの記憶装置における占有率に基づいて、実行の許可を与える個別機能を決定しても良い。この場合、統計導出部７５は、指定された個別機能を実行した場合に、実行部７７（ＣＰＵ）に掛かる負荷が所定の負荷以上になる場合は実行を禁止し、所定の負荷未満になる場合は実行の許可を与える。
【図面の簡単な説明】
【００９６】
【図１】この発明の実施形態に係る超音波診断装置を示すブロック図である。
【図２】この実施形態に係る超音波診断装置に設置された制御部のブロック図である。
【図３】この発明の実施形態に係る超音波診断装置のユーザインターフェースの一部を示す図である。
【図４】この発明の実施形態に係る超音波診断装置による一連の動作を説明するためのシーケンス図である。
【図５】この発明の実施形態に係る超音波診断装置による別の動作を説明するためのシーケンス図である。
【図６】この発明の実施形態に係る超音波診断装置による別の動作を説明するためのシーケンス図である。
【図７】この発明の実施形態に係る超音波診断装置のユーザインターフェースの一部を示す図である。
【符号の説明】
【００９７】
１  超音波診断装置
２  超音波プローブ
３  送受信部
４  信号処理部
５  画像生成部
６  ユーザインターフェース（ＵＩ）
７  制御部
８  記憶部
６１  表示部
６２  入力部
７１  入力制御部
７２  患者登録部
７３  検査機能制御部
７４  記憶制御部
７５  統計導出部
７６  実行制御部
７７  実行部
８１  画像記憶部
８２  ソフトウェア記憶部
８３  履歴記憶部
【図１】
0005148220.tif 000002
【図２】
0005148220.tif 000003
【図３】
0005148220.tif 000004
【図４】
0005148220.tif 000005
【図５】
0005148220.tif 000006
【図６】
0005148220.tif 000007
【図７】
0005148220.tif 000008